(57)【要約】【課題】建物が外壁面に取付けられた竪樋を覆っているカバー本体を簡単に交換することができる竪樋カバーを提供することを目的とする。【解決手段】建物の外壁面Ｆに竪樋支持具４を介して取付けられか竪樋１と、該竪樋１を上下方向に接続する竪樋継手２と、該竪樋継手２に取付けられて竪樋１の周囲を覆う化粧カバー３とからなり、該化粧カバー３の内面に長手方向に沿って係合突起３１が突出しており、該係合突起４１に対応して前記竪樋継手２の外面に係合突起３１が嵌入される凹溝２３が設けられ、該凹溝２３に前記化粧カバー３の係合突起３１が嵌入して取付けられている。【選択図】      図１
2004197528.tif 000002
【特許請求の範囲】
【請求項１】
竪樋を上下方向に接続する竪樋継手であって、該竪樋継手の外面に化粧カバーの係合突起が嵌入される凹溝が設けられていることを特徴とする竪樋継手。
【請求項２】
竪樋継手に取付けられて竪樋の周囲を覆う化粧カバーであって、該カバー本体の内面に長手方向に沿って係合突起が突出していることを特徴とする化粧カバー。
【請求項３】
建物の外壁面に竪樋支持具を介して取付けられた竪樋と、該竪樋を上下方向に接続する竪樋継手と、該竪樋継手に取付けられて竪樋の周囲を覆う断面溝型の化粧カバーとからなり、該化粧カバーの内面に長手方向に沿って係合突起が突出しており、該係合突起に対応して前記竪樋継手の外面に係合突起が嵌入される凹溝が設けられ、該凹溝に前記化粧カバーの係合突起が嵌入して取付けられていることを特徴とする竪樋の取付構造。
【発明の詳細な説明】
【０００１】
【発明の属する技術分野】
本発明は、竪樋の保護や建屋外観の見栄えの向上のために用いられる竪樋継手と化粧カバー及びその取付構造に関する。
【０００２】
【従来の技術】
従来、建物の外壁面に取付けられる竪樋は、図６に示すように、家屋の屋根部の軒樋ａに接続して外壁面ｄに沿って垂下させ、地中に埋設された排水管ｅに接続されている。この場合、竪樋ｂは建物の外壁面ｄに竪樋支持具ｆにより取付けられ、上下方向に接続が容易な竪樋継手ｃにより接続して施工されている。（例えば、特許文献１を参照。）。
【０００３】
ところで、上記のような外壁面ｄに取付けられた竪樋ｂは、竪樋支持具ｆと共に竪樋継手ｃが段差状にはみ出して接続されているため、建物の外壁面ｄとの兼ね合いにより見劣りする場合がある。そのため、竪樋継手ｃと竪樋支持具ｆをカバー受座とカバー本体からなる化粧カバーとしての竪樋カバーで竪樋ｂを覆い建物外観を向上させることがあった（例えば、特許文献２を参照。）。
【０００４】
【特許文献１】
特開平０７─１１３２９７号公報（第１図及び第２図）
【特許文献２】
特開２０００─６４５３５号公報（第１図及び第２図）
【０００５】
【発明が解決しようとする課題】
しかしながら、上記従来の化粧カバーとしての竪樋カバーが取付けられた竪樋の取付構造では、建物の外壁の上下方向に凹状の被係止部を設けたカバー受座を外壁面に固着し、竪樋を取付けてからカバー本体をカバー受座に係合させて竪樋を覆うものである。従って、長期使用中にカバー本体が劣化し外観上見苦しくなり、カバー受座も取り替える必要があるが、カバー受座は竪樋と外壁面との間に取付けられているため交換に手間がかかるという問題点があった。
【０００６】
本発明は、このような事情に鑑みて、建物が外壁面に取付けられた竪樋に化粧カバーを簡単に取付け交換することができる竪樋継手と化粧カバー及び竪樋の取付構造を提供することを目的としている。
【０００７】
【課題を解決するための手段】
このような目的を達成するために、請求項１に記載の発明に係わる竪樋継手は、竪樋を上下方向に接続する竪樋継手であって、該竪樋継手の外面に化粧カバーの係合突起が嵌入される凹溝が設けられていることを特徴とした。
【０００８】
請求項２に記載の発明に係わる化粧カバーは、竪樋継手に取付けられて竪樋の周囲を覆う化粧カバーであって、該カバー本体の内面に長手方向に沿って係合突起が突出していることを特徴とした。
【０００９】
請求項３に記載の発明に係わる竪樋の取付構造は、建物の外壁面に竪樋支持具を介して取付けられた竪樋と、該竪樋を上下方向に接続する竪樋継手と、該竪樋継手に取付けられて竪樋の周囲を覆う断面溝型の化粧カバーとからなり、該化粧カバーの内面に長手方向に沿って係合突起が突出しており、該係合突起に対応して前記竪樋継手の外面に係合突起が嵌入される凹溝が設けられ、該凹溝に前記化粧カバーの係合突起が嵌入して取付けられていることを特徴とした。
【００１０】
【本発明の実施の形態】
次に、本発明の実施の形態を説明する。
図１〜５は本発明の実施の形態の一例を示すもので、図１は建物の外壁に取付けられた竪樋を化粧カバーで覆った状態を示す断面図、図２は上下の竪樋を竪樋継手で接続し化粧カバーが取り付けられる状態を示す分解斜視図、図３は本発明の竪樋継手の一例を示す斜視図、図４は本発明の化粧カバーの一例を示す斜視図、図５は竪樋を竪樋継手で接続し化粧カバーを取付ける手順を説明する要部切り欠き側面図である。
【００１１】
図１〜２において、建物の外壁面Ｆに取付けられた上流側と下流側の竪樋１、１が竪樋継手２を介して上下に接続されており、この竪樋継手２に化粧カバー３が竪樋１の周囲を覆うようにして取付けられている。竪樋１は竪樋支持具４を介して建物の外壁面Ｆに取付固定されている。
【００１２】
竪樋１は、硬質塩化ビニル樹脂を押出機により押出して成形されたほぼ四角筒形状の押出成形品であって、その対向する１組の側壁には、側壁を屈曲させることにより係合溝１１が全長にわたり設けられ、係合溝１１の裏面は竪樋１の内方には突条１２となって突設されている。係合溝１１は竪樋１を建物の外壁面Ｆに取付ける場合に、竪樋支持具４に設けられたほぼＵ字形の係合片（図示しない）の先端の係合部を係合させるためのものである。
【００１３】
竪樋継手２は、竪樋１同志を上下に接続する際に使用するものであって、その一端に、下流側の竪樋１の上端部の内面と嵌合する差し口２１が形成され、他端に、上流側の竪樋１の下端部の外面と嵌合する受け口２２が形成されている。
【００１４】
差し口２１の相対向する一組の側壁の外面には、竪樋１の係合溝１１と対応する位置に、竪樋１の係合溝１１の裏面の突条１２と嵌合可能な一対の凹状溝２１１が設けられ、受け口２２の相対向する側壁内面に凹状溝２１１と同軸上に、竪樋１の係合溝１１と嵌合可能な突条２２１が設けられている。そして、図３にも示すように、差し口２１の凹状溝２１１の開口端２１２側の先端２１３が開口端２１２よりも奥側、即ち、受け口２２側に凹んだ位置に配置し、しかも、開口端２１２から先端２１３までが円弧状の縁部２１４となるように形成されている。
【００１５】
また、受け口２２については、突条２２１が設けられる外側面に上下方向に沿って凹溝２３が形成されて、この凹溝２３は化粧カバー３の係合突起３１が係合するようになっている。そして、凹溝２３が設けられる受け口２２の開口端２２２は、軒樋１の外形より大きい外形寸法の肉厚を有しており、上流側の軒樋１と接続したときに、軒樋１の外面にり段差状にはみ出した状態となっている。
【００１６】
化粧カバー３は、金属製もしくは合成樹脂製から成形されており、建物の外壁面Ｆに取付けられた竪樋１を屋外側から覆うように断面溝型の長尺の樋状体の形状に成形されている。化粧カバー３の内面側には、上記竪樋継手２の凹溝２３に係合するように長手方向に沿って係合突起３１が突出している。
【００１７】
竪樋支持具４は、金属製もしくは合成樹脂製から成形されており、図５にも示すように竪樋１を把持する把持部４０が腕部４１の一端に形成され、腕部４１の他端に固定部４２が形成されている。この竪樋支持具４の把持部４０は、角筒の竪樋１が入る大きさの四角状の枠状体で形成されており、図示しない受け枠と止め枠とに分割されている。
【００１８】
次に、本発明の竪樋の取付構造において、竪樋継手と化粧カバーを竪樋に取付ける施工方法について説明する。
先ず、竪樋支持具４の固定部４２をビスや釘等の固定部材により壁面Ｆに固着してから、上流側の竪樋１と下流側の竪樋１とを所定間隔を開けて把持部４０に取付ける。
続いて、図２に示すように、下流側の竪樋１の上端部の内面と竪樋継手２の差し口２１の開口端２１２の外面とを合わせて差し口２１を竪樋１の上端部内に挿入する。
【００１９】
この挿入の際は、差し口２１の凹状溝２１１の開口端２１２側の先端２１３を開口端２１２よりも奥側、即ち、受け口２２側に凹んだ位置に配置してあるので、差し口２１の凹状溝２１１と竪樋１の突条１２との位置合わせは不要である。
【００２０】
更に、差し口２１を竪樋１内に挿入すると、竪樋１の突条１２の先端部が差し口２１の凹状溝２１１の開口端２１２側の先端２１３に達して、差し口２１の凹状溝２１１と下流側の竪樋１の突条１２とが嵌合され、竪樋継手２の差し口２１と下流側の竪樋１との接続は終了する。
【００２１】
次に、下流側の竪樋１を上方に移動させ、上流側の竪樋１の下端部の外面と竪樋継手２の受け口２２の開口端２２２の内面とを合わせて受け口２２内に竪樋１を挿入する。
【００２２】
受け口２２内に上流側の竪樋１が完全に挿入されると竪樋継手２の受け口２２と竪樋１との接続は終了する。
【００２３】
最後に、化粧カバー３を開口側から竪樋１を覆うようにして屋内側に向けて押し込み竪樋継手２を内挿する。このとき、竪樋継手２の凹溝２３に化粧カバー３の係合突起３１が係合し、化粧カバー３が竪樋継手２を介して竪樋４を覆い隠すようにして取付け固定される。
【００２４】
このようにして竪樋１に取り付けられた化粧カバー３が長期使用において劣化したときに、竪樋継手２から簡単に取り外すことができ、新品の化粧カバー３と交換することができる。また、竪樋１に化粧カバー３が取付けられていない場合であっても、既設の竪樋１を接続している従来の竪樋継手と本発明の竪樋継手とを取り替えることにより、化粧カバー３を取付けて色あせた竪樋１を覆い外観を工場させることもできる。
【００２５】
以上、本発明の実施の形態を図面により詳述してきたが、具体的な形態はこの実施の形態に限られものではなく、本発明の要旨を逸脱しない範囲における設計の変更等があっても本発明に含まれる。
【００２６】
例えば、図示の実施例においては、竪樋継手２は四角筒状であるが、接続すべき竪樋が円筒状であれば、この竪樋を接続すべき竪樋継手も円筒状であってもよい。
【００２７】
【発明の効果】
以上のように本発明によれは、建物が外壁面に取付けられた竪樋が劣化して竪樋した場合、竪樋継手を本発明の竪樋継手に取り替えて、化粧カバーを竪樋継手に取付ければ外観が向上する。また、竪樋を覆っている化粧カバーが劣化して取り替えが必要となったときに、簡単に交換することができる。
【図面の簡単な説明】
【図１】本発明の一例を示すもので、建物の外壁に取付けられた竪樋を化粧カバーで覆った状態を示す断面図である。
【図２】本発明において上下の竪樋を竪樋継手で接続し化粧カバーが取り付けられる状態を示す分解斜視図である。
【図３】本発明の竪樋継手の一例を示す斜視図である。
【図４】本発明の化粧カバーの一例を示す斜視図である。
【図５】本発明において、竪樋を竪樋継手で接続し化粧カバーを取付ける手順を説明する要部切り欠き側面図である。
【図６】従来例を説明するための概略説明図である。
【符号の説明】
Ｆ                外壁面
１                竪樋
２                竪樋継手
２３              凹溝
３                化粧カバー
３１              係合突起
４                竪樋支持具
【図１】
2004197528.tif 000003
【図２】
2004197528.tif 000004
【図３】
2004197528.tif 000005
【図４】
2004197528.tif 000006
【図５】
2004197528.tif 000007
【図６】
2004197528.tif 000008